(57)【要約】【課題】空調機器及び水周り設備の機能を妨げることなく、対象液体又は対象気体との大きな接触面積を有して空調機器及び水周り設備への微生物の発生・増殖を長期間防止し、かつ成形や取り扱いが容易な微生物発生防止材及びそれを用いた微生物発生防止器具を提供する。【解決手段】金属繊維の表面に抗菌剤が被着されてなる微生物発生防止材。微生物発生防止材を構成する細い糸状の金属繊維に抗菌剤が被着しているため、対象液体又は対象気体と抗菌剤が接触する面積が大きい。それゆえ、微生物発生防止材が対象液体又は対象気体と充分に接触して高い微生物発生防止効果を示す。また、この微生物発生防止材は細い糸状であるため、軽量かつ柔軟であり、成形が容易である。【選択図】図２
2011153811.tif 000002
【特許請求の範囲】
【請求項１】
金属繊維の表面に抗菌剤が被着されてなることを特徴とする微生物発生防止材。
【請求項２】
前記金属繊維の繊維径が３μｍ〜１００μｍであることを特徴とする請求項１に記載の微生物発生防止材。
【請求項３】
前記抗菌剤がニッケル又はニッケル合金であることを特徴とする請求項１又は２に記載の微生物発生防止材。
【請求項４】
請求項１〜３のいずれか１項に記載の微生物発生防止材を備えたことを特徴とする微生物発生防止器具。
【請求項５】
前記微生物発生防止材を不織布で包んでなることを特徴とする請求項４に記載の微生物発生防止器具。
【請求項６】
前記微生物発生防止材を原料繊維の少なくとも１つとして用いた不織布からなることを特徴とする請求項４に記載の微生物発生防止器具。
【請求項７】
請求項４〜６のいずれか１項に記載の微生物発生防止器具が内部に設置されていることを特徴とする空調機器。
【請求項８】
前記微生物発生防止器具が磁石により固定して設置されることを特徴とする請求項７に記載の空調機器。
【請求項９】
前記空調機器が、エアーコンディショナ、除湿機、加湿器、クーリングタワーである請求項７又は８に記載の空調機器。
【発明の詳細な説明】
【技術分野】
【０００１】
本発明は、空調機器の内部や水周り設備における微生物の発生を防止する微生物発生防止材及びそれを用いた微生物発生防止器具に関する。
【背景技術】
【０００２】
空調機器、例えばエアーコンディショナ（以下、エアコンという）等においては、そのドレンパンに装置内部で凝縮したドレン水が溜まるように構成されている。このため、エアコンのドレンパン内には細菌・カビ・藻等の微生物が増殖しやすい。ドレンパン内で増殖した微生物は、エアコンの送風により室内に飛散して健康被害をもたらすと共に悪臭の原因となり、さらにはスライムを形成してドレンパン内の液路や排水口を詰まらせ、ドレン水のオーバーフローを引き起こす。
【０００３】
こうした状況を防ぐためには、ドレンパンの清掃が効果的ではあるが、ドレンパンはエアコン内部に組み込まれているため、エアコンを分解しなければ清掃することができず、日常的な清掃は困難である。
【０００４】
そのため、ドレンパン内の微生物の発生防止材や発生防止器具が求められている。
【０００５】
ドレンパン内の微生物発生防止材として、特許文献１には、銀イオン等を溶出する水溶性ガラスを含有する粒径が１〜２０ｍｍの粒状の抗菌剤が記載されている。また、特許文献２には、ナトリウムピリチオン水溶液に浸漬後、乾燥させた網目状の銅板からなる微生物発生防止器具が記載されている。
【０００６】
一方、特許文献３には、抗菌・防かび性に優れたＮｉ合金粉末が記載されている。
【先行技術文献】
【特許文献】
【０００７】
【特許文献１】特開２００６−５２９１８号公報
【特許文献２】特開２００２−２８４６１１号公報
【特許文献３】特許第３６９１００４号公報
【発明の概要】
【発明が解決しようとする課題】
【０００８】
しかしながら、特許文献１に記載された粒状の抗菌剤は比較的大きな粒状であることから、ドレンパン内に設置するとドレン水の流れに押されて抗菌剤がドレンパン内を移動する。それゆえ、抗菌剤がドレン水と接触しにくい場所に移動したり、抗菌剤が寄せ集まってドレン水と接触する表面積が減少し、効果が充分に得られない可能性があった。さらに、効果を確保するために多量の抗菌剤を設置すると、ドレン水の液路を妨げる可能性があった。
【０００９】
また、特許文献２に記載された網目状の銅板からなる微生物発生防止器具については、設置場所や用途に合わせた形状に銅板を切削加工する必要があり、成形に手間がかかる。さらに、銅板に付着するナトリウムピリチオンは水溶性であるために効果持続期間が短く、効果を確保するために銅板を大きくするとドレン水の液路を妨げる可能性があった。
【００１０】
一方、特許文献３には、抗菌・防かび性に優れたＮｉ合金粉末が記載されているものの、空調機器の内部や水周り設備に対し当該合金粉末をどのようにして用いるのか具体的なことは何も記載されていない。
【００１１】
本発明は上述した点に鑑み案出されたもので、その目的は空調機器及び水周り設備の機能を妨げることなく、対象液体又は対象気体との大きな接触面積を有して空調機器及び水周り設備への微生物の発生・増殖を長期間防止し、かつ成形や取り扱いが容易な微生物発生防止材及びそれを用いた微生物発生防止器具を提供することにある。
【課題を解決するための手段】
【００１２】
上記課題を解決するため、本発明の微生物発生防止材は、金属繊維の表面に抗菌剤が被着されてなる。
【００１３】
微生物発生防止材に被着された抗菌剤に、対象液体又は対象気体中に存在する微生物が接触すると微生物は死滅又は弱体化する。この抗菌剤は細い糸状の金属繊維に被着しているため、対象液体又は対象気体が接触する面積が大きい。そのため、微生物発生防止材が対象液体又は対象気体と充分に接触して高い微生物発生防止効果を示す。また、この微生物発生防止材は細い糸状であるため、軽量かつ柔軟であり、成形が容易である。
【００１４】
金属繊維の繊維径は、３μｍ〜１５０μｍと微細であることが好ましく、特に３μｍ〜１００μｍであることが好ましい。
【００１５】
繊維径がマイクロメートルからサブミクロンレベルの極細金属繊維の表面に抗菌剤が被着されることにより、抗菌剤と対象液体又は対象気体との接触面積が拡大する。そのため、微生物発生防止材が対象液体又は対象気体と充分に接触して高い微生物発生防止効果を示す。また、微生物発生防止材の成形又は加工の容易さが増し、フィルターや不織布の原料繊維になる等さまざまな用途に用いられる。
【００１６】
抗菌剤がニッケル又はニッケル合金であることも好ましい。
【００１７】
抗菌剤としてニッケル又はニッケル合金を金属繊維に被着させることにより、対象液体又は対象気体中に存在する微生物がニッケルイオンに接触して死滅する。ニッケル又はニッケル合金は金属であり水溶性塩ではないため、金属繊維への被着が長期間維持される。そのため、微生物発生防止効果が長期間持続する。また、ニッケルは強磁性を有するため、微生物発生防止材に磁性を付与することができる。
【００１８】
微生物発生防止器具は、上述した微生物発生防止材を備えている。
【００１９】
微生物発生器具を構成する微生物発生防止材に被着された抗菌剤に、対象液体又は対象気体中に存在する微生物が接触すると微生物は死滅又は弱体化する。この抗菌剤は細い糸状の金属繊維に被着しているため、対象液体又は対象気体が接触する面積が大きい。そのため、微生物発生防止材が対象液体又は対象気体と充分に接触して高い微生物発生防止効果を示す。また、微生物発生防止材が金属繊維から構成されることにより、微生物発生防止材間に空隙部が多く形成されており、微生物発生防止器具の通水性及び通気性が確保される。そのため、微生物発生防止器具を設置した機器又は設備の機能を妨げない。
【００２０】
微生物発生防止器具は、微生物発生防止材を不織布で包んでなることが好ましい。
【００２１】
金属繊維の表面に抗菌剤が被着された微生物発生防止材を不織布で包んでいるため、通水性及び通気性を有し、対象液体又は対象気体は不織布を通過して内部の微生物発生防止材に接触する。上述したように、微生物発生防止材に接触すると微生物は死滅又は弱体化する。また、不織布に微生物発生防止材を包むことで構成されているため、成形の必要がなく、簡単に製作することができる。
【００２２】
微生物発生防止器具は、微生物発生防止材を原料繊維の少なくとも１つとして用いた不織布からなることも好ましい。
【００２３】
この微生物発生防止器具は不織布から構成されているため、通水性及び通気性を有する。上述したように、対象液体又は対象気体に存在する微生物は不織布を構成している微生物発生防止材に接触して死滅又は弱体化する。不織布を適当な大きさにカットしたり、不織布をさらに成形する等して用途や設置場所にあわせて使用することができる。
【００２４】
空調機器は、上述した微生物発生防止器具が内部に設置されている。
【００２５】
空調機器内部のドレン水などの対象液体又は吸入空気などの対象気体が微生物発生防止器具と接触し、微生物発生防止効果が得られる。
【００２６】
空調機器は、前記微生物発生防止器具が磁石により固定して設置されることが好ましい。
【００２７】
微生物発生防止材を構成する金属繊維又は抗菌剤の有する磁性により、微生物発生防止器具が空調機機内に磁石で固定される。設置に当たり別途工事などの必要がないため、設置が容易である。さらに、微生物発生防止器具が空調機器内でずれることがないため、空調危機内の機能を妨げず、安定した微生物発生防止効果を有する。
【００２８】
空調機器は、前記空調機器が、エアーコンディショナ、除湿機、加湿器、クーリングタワーであることが好ましい。
【００２９】
微生物発生防止器具が設置される空調機器として適当なものが選択される。
【発明の効果】
【００３０】
本発明によれば、以下のような優れた効果を有する微生物発生防止材及びそれを用いた微生物発生防止器具を提供することができる。
（１）接触面積の大きい微生物発生防止材が対象液体又は対象気体と充分に接触して、高い微生物発生防止効果を示す。
（２）微生物発生防止材は、軽量かつ柔軟で成形が容易であり、設置場所や用途に合わせた形状に成形することができる。
（３）微生物発生防止材及び微生物発生防止器具は通水性及び通気性に優れるため、空調機器及び水周り設備の機能を妨げずに空調機器及び水周り設備内に設置することができる。
【図面の簡単な説明】
【００３１】
【図１】本発明の第１の実施形態に係る微生物発生防止材を概略的に示す図である。
【図２】図１に示す微生物発生防止材の一部拡大図である。
【図３】本発明の第２の実施形態に係る微生物発生防止器具及びその一部拡大部を概略的に示す図である。
【図４】本発明の第３の実施形態に係る微生物発生防止器具を概略的に示す斜視図である。
【図５】図４のＡ−Ａ’線の断面図である。
【図６】本発明の第４の実施形態に係る微生物発生防止器具を概略的に示す斜視図である。
【図７】図６のＢ−Ｂ’線の断面図である。
【図８】本発明の第５の実施形態に係る微生物発生防止器具及びその一部拡大部を概略的に示す斜視図である。
【図９】本発明の第６の実施形態に係る微生物発生防止器具を設置した空調機器内部を概略的に示す断面図である。
【発明を実施するための形態】
【００３２】
以下、本発明の第１の実施形態について説明する。
【００３３】
図１及び図２に示すように、本実施形態の微生物発生防止材１は細い糸状の金属繊維２から構成されており、金属繊維２の表面は抗菌材３によって覆われている。
【００３４】
ここで金属繊維２とは、金属でできた細い糸状のものをいう。金属繊維２の繊維径ｄについては、微生物発生防止材１の加工を容易とするために柔軟かつ軽量とする観点、そして、対象液体等との接触面積を拡大する観点から２０μｍ〜１５０μｍが好ましく、特に５０μｍ〜１００μｍが好ましい。また、金属繊維２の長さについては特に限定されないが、取り扱いが容易で成形が可能な程度の長さがあることが望ましい。具体的には、特に限定されるものではないが、細さが均一で長い金属繊維として、コイル切削法で製造されたベキニット株式会社の「ベキニット」（登録商標）金属繊維が好適に用いられる。
【００３５】
金属繊維２の材質としては、具体的には鉄、ＳＵＳ３０４・ＳＵＳ３１６等のステンレス鋼、銅、黄銅、銀若しくはアルミニウム等の金属材料又はこれらとニッケル、マグネシウム、亜鉛、クロム若しくはケイ素等のうち少なくとも一つを含む合金が挙げられる。特にステンレス鋼は耐蝕性があり、長期間の使用に耐えるため好適に用いられる。
【００３６】
金属繊維２の表面に被着されている抗菌剤３としては、抗菌性を有するものであれば特に限定されないが、抗菌効果が長期間持続すると共に微生物発生防止材１に磁性を付与すると設置が容易である観点から、ニッケル又はニッケル合金が望ましい。具体的には、例えば、株式会社神戸製鋼所の「ケニファイン」（登録商標）の表面処理金属材料が挙げられる。この表面処理金属材料はニッケル合金を主成分とする抗菌剤であり、ニッケルの表面にＰ含有化合物を付着させることで、ニッケル表面に水素を保持している。細菌、カビ、藻類又はウイルス等の微生物はこのニッケルイオン又は水素化物に接触すると死滅する。
【００３７】
抗菌剤３の被着は、金属繊維２の表面の大部分について抗菌剤３で被覆されていればよく、一部に抗菌剤３で被覆されていない部分があってもよい。しかし、抗菌剤３の微生物発生防止効果を高めるために、金属繊維２の表面はできるだけ抗菌剤３で被覆することが望ましい。被着される抗菌剤３の厚さｎとしては、抗菌力を長期間持続させる観点から、１μｍ以上が望ましく、２μｍ以上がより望ましい。
【００３８】
金属繊維２の表面に金属製の抗菌剤３を被着するにあたっては、めっき加工を行うことにより好適に被着することができる。具体的には、抗菌剤３としてニッケル又はニッケル合金を用いる場合には、金属繊維２に対し脱脂、エッチング、表面活性化及びニッケルストライクめっき等の前処理を行い、その後ワット浴などの電気ニッケルめっき浴を用いてめっき加工を行う。さらに、「ケニファイン」（登録商標）の表面処理を行う場合には、電気ニッケルめっき浴にりん酸などのＰ含有化合物を加えた電気ニッケル−りん系めっき浴を用いてめっき加工を行う。このようにニッケルめっきを行って得られる微生物発生防止材１は磁性を有するため、磁石で固定され得る。
【００３９】
ここで、微生物発生防止材１とは、微生物を死滅又は弱体化させるなどして微生物の増殖を防止又は抑制するもののことをいう。また、微生物とは微小な生物のことをいい、具体的には、カビ及び酵母などの真核微生物、細菌などの原核微生物、ウイルス又は藻類等があげられる。
【００４０】
微生物発生防止材１は細い糸状の金属繊維２から構成されるため、単位質量あたりの表面積が大きく、対象液体又は対象気体と大きな接触面積を有する。微生物発生防止材１は軽量かつ柔軟で成形が容易であり、束にして巻いたり丸めたり、設置場所や用途に合わせた形状に成形することができる。表面に被着している抗菌剤３と対象液体又は対象気体中に存在する微生物が接触すると微生物は死滅し、微生物の発生が防止される。
【００４１】
次に、図３に示す本発明の第２の実施形態について説明する。
【００４２】
本実施形態における微生物発生防止器具１０は、図３に示すように、金属繊維２の表面に抗菌材３が被着された微生物発生防止材１をドーナツ状に成形して構成されている。
【００４３】
本実施形態においては微生物発生防止器具１０をドーナツ状としているが、この形状に限定されるものではなく、設置場所や用途に合わせて丸型や円盤型又は角型等あらゆる形状に加工することができる。さらに、微生物防止線材１の線材密度を高めることで抗菌剤３を効率的に対象液体又は対象気体に接触させつつ、微生物発発生防止器具１０の形態安定性を高めることができる。
【００４４】
対象液体又は対象気体との関係において、微生物発生防止器具１０には、接触部１０１（微生物発生防止材１のある部分）と空隙部１０２（微生物発生防止材１のない部分）により構成されている。このうち、接触部１０１は、対象液体又は対象気体と接触し、それら対象物中に存在する微生物を死滅させる。一方、空隙部１０２は対象液体又は対象気体の通水性及び通気性を確保する。
【００４５】
微生物発生防止器具１０を構成する微生物発生防止材１は細い糸状であり、単位質量あたりの表面積が大きい。そのため、微生物発生防止器具１０は対象液体又は対象気体と効率よく接触して、微生物の増殖・発生を防止する。また、空隙部１０２も多数形成されていることから、通水性及び通気性は良好であり、設置した機器や設備の機能を妨げることがない。
【００４６】
この微生物発生防止器具１０は、空調機器、例えば、エアーコンディショナ、除湿機、加湿器又はクーリングタワー等に用いられ得る。また、家庭内での水周り、例えば、台所、風呂、洗濯機、洗面所又はトイレ等に用いられ得る。さらには、水耕栽培やエアシャワー等でも好適に用いられ得る。
【００４７】
続いて、図４に示す本発明の第３の実施形態について説明する。本実施形態の微生物発生防止器具１１は、図４及び図５に示すように、金属繊維２の表面に抗菌材３が被着された微生物発生防止材１が不織布４０で挟み込まれて構成されている。
【００４８】
本実施形態においては、微生物発生防止材１を略平面状に成形したものを不織布４０で包んで微生物発生防止器具１１を作製している。不織布４０で微生物発生防止材１を包んだ後、図５に示すように不織布４０の周辺をヒートシール又はホットメルト等で接着することで、微生物防止材１の飛出しを防ぐことができる。
【００４９】
微生物発生防止器具１１においては、通気性又は通水性のある不織布４０を通過した対象液体又は対象気体は器具内部の微生物発生防止材１と接触する。微生物発生防止材１は単位質量あたりの表面積が大きいため、対象液体又は対象気体と効率よく接触し、存在する微生物を死滅させる。そして、微生物発生防止材１と接触した後の対象液体又は対象気体は多数形成されている空隙を抜けて、通気性又は通水性のある不織布４０を通過する。
【００５０】
第３の実施形態にかかる微生物発生防止器具１１は、空調機器、例えば、エアーコンディショナ、除湿機、加湿器又はクーリングタワー等に用いられ得る。また、家庭内での水周り、例えば、台所、風呂、洗濯機、洗面所又はトイレ等に用いられ得る。さらには、自動車や電車等の乗物における空調機器や工場等におけるエアシャワーにおいても好適に用いられ得る。
【００５１】
次に、図６に示す本発明の第４の実施形態について説明する。本実施形態の微生物発生防止器具１２は、図６及び図７に示すように、金属繊維２の表面に抗菌材３が被着されてなる微生物発生防止材１を細かく切断して微生物発生防止材１ａとし、これが不織布４０ａ及び４０ｂによって挟み込まれ、あたかも列状に並んだ複数のカプセル内に包含された形態で構成されている。
【００５２】
本実施形態においては、微生物発生防止材１を数ｍｍ〜数十μｍの長さに切断してなる微生物発生防止材１ａと、粒径が数百μｍのゼオライト５０とを不織布４０ａ及び４０ｂで包んで微生物発生防止器具１２を作製している。図６及び図７に示すように、不織布４０ａは、微生物発生防止材１ａとゼオライト５０とを包含するための凹凸形状又は波板形状を有している。この不織布４０ａの凹部ともう一方の平らな不織布４０ｂとの間に、細かく切断されてなる微生物発生防止材１ａとゼオライト５０とが上述したカプセル形態で包含される。上記包含の際には、図６に示すように不織布４０ａと不織布４０ｂの周辺部並びに不織布４０ａの凸部とそれに対応する不織布４０ｂの部分をヒートシール又はホットメルト等で接着する。これにより、微生物発生防止材１ａ及びゼオライト５０の飛出しや偏りを防ぐことができる。なお、不織布４０ｂも凹凸形状又は波板形状を有していてもよい。
【００５３】
本実施形態においては、不織布４０ａ及び４０ｂの間に細かく切断されてなる微生物発生防止材１ａを包含させるにあたり、ゼオライト５０を組み合わせて用いた。このゼオライト５０は多孔質の鉱物であり、優れた吸湿性や吸着性を有する。このため、微生物発生防止材１ａとゼオライトを組み合わせて用いると、ゼオライト５０が空気中の水分を効率よく吸着して微生物発生防止材１ａに被着されている抗菌剤に水分を提供し、抗菌剤の働きを活性化させることができる。例えば、抗菌剤として株式会社神戸製鋼所の「ケニファイン」（登録商標）を用いている場合には、水分の存在によって、ニッケル合金を主成分とする抗菌剤からニッケルイオン又は水素化物が生じ、細菌やウイルスを効果的に死滅させることができる。さらに、ゼオライト５０は脱臭能力も有するため、微生物発生防止器具１２に脱臭効果も付与することができる。
【００５４】
ここで、微生物発生防止材１ａと組み合わせて用いる物質としては、ゼオライト５０に限定されるものではなく、吸着性又は吸湿性を有する物質であればよく、例えば珪藻土、シリカ、活性炭、タルク又はベントナイト等が挙げられる。なお、細かく切断されてなる微生物発生防止材１ａのみが不織布４０ａ及び４０ｂの間に包含されていてもよい。さらに、微生物発生防止材１ａ以外の金属片に抗菌剤、たとえば株式会社神戸製鋼所の「ケニファイン」（登録商標）をめっきさせて、金属片からめっき箔を剥離させ、粉砕させたものを微生物発生防止材１ａやゼオライト等と組み合わせて用いてもよく、粉砕させたもののみが不織布４０ａ及び４０ｂの間に包含されていてもよい。
【００５５】
本実施形態における微生物発生防止器具１２においては、通気性又は通水性のある不織布４０ａ及び４０ｂを通過した対象液体又は対象気体は器具内部の微生物発生防止材１ａとゼオライト５０とに接触する。ゼオライト５０は対象液体又は対象気体中の水分を吸着して微生物発生防止材１ａに被着している抗菌剤に水分を提供し、微生物発生防止材の抗菌活性を高める。微生物発生防止材１ａは単位質量あたりの表面積が大きいため、対象液体又は対象気体と効率よく接触し、存在する微生物を死滅させる。そして、微生物発生防止材１ａとゼオライト５０とに接触した後の対象液体又は対象気体は、多数形成されている空隙を抜けて、通気性又は通水性のある不織布４０ａ及び４０ｂを通過する。
【００５６】
第４の実施形態にかかる微生物発生防止器具１２は、空調機器、例えば、エアーコンディショナ、除湿機、加湿器又はクーリングタワー等に用いられ得る。また、家庭内での水周り、例えば、台所、風呂、洗濯機、洗面所又はトイレ等に用いられ得る。さらには、自動車や電車等の乗物における空調機器や工場等におけるエアシャワーにおいても好適に用いられ得る。
【００５７】
次に、図８に示す本発明の第５の実施形態について説明する。本実施形態の微生物発生防止器具１３は、図８に示すように、金属繊維２の表面に抗菌材３が被着された微生物発生防止材１ｂが原料繊維として用いられた不織布である。
【００５８】
本実施形態にかかる微生物発生防止器具１３は、微生物発生防止材１ｂとその他の不織布原料繊維５１とで構成されている。なお、微生物発生防止材１ｂのみを原料繊維として不織布が形成されて微生物発生防止器具１３が構成されていてもよい。また、この微生物発生防止器具１３、すなわち不織布を作製するにあたって、微生物発生防止材１ｂは適当な繊維長さに予め切断され得る。不織布の製造には種々の方法が用いられ、特に製造方法は限定されない。
【００５９】
微生物発生防止器具１３においては、この不織布中の微生物発生防止材１ｂに対象液体又は対象気体が接触することにより、存在する微生物を死滅させ、微生物の発生が防止される。そして、微生物発生防止材１ｂと接触した後の対象液体又は対象気体は不織布を通過する。また、微生物発生防止器具１３は、不織布からなるため、所定の大きさにカットして使用するなど簡便に使用することができる。
【００６０】
第５の実施形態にかかる微生物発生防止器具１３は、空調機器、例えば、エアーコンディショナ、除湿機、加湿器又はクーリングタワー等に用いられ得る。また、家庭内での水周り、例えば、台所、風呂、洗濯機、洗面所又はトイレ等に用いられ得る。さらには、自動車や電車等の乗物における空調機器や工場等におけるエアシャワーにおいても好適に用いられ得る。
【００６１】
続いて、本発明の第６の実施形態を図９に示す。本発明の空調機器６０の内部には、図９に示すように微生物発生防止器具１０が設置されている。
【００６２】
図９は微生物発生防止器具１０が設置されたエアコン内部のドレンパン６０を示す。微生物発生防止器具は磁石７０により、ドレンパン６０内に固定して設置されている。このとき、微生物発生防止器具１０の設置位置としては、特に限定されず、ドレン水８０に接触する位置であればよい。たとえば、ドレン水８０が滞留する部分や排水孔６１近く等に設置することにより、滞留するドレン水８０と効率よく接触することができる。また、微生物発生防止器具１０をドレンパン６０全域にわたるような大きさとし、設置してもよい。
【００６３】
本発明は、上記の実施形態に限定されるものでなく、特許請求の範囲に記載された発明の要旨を逸脱しない範囲内での種々、設計変更した形態を技術的範囲に含まれるものである。
【００６４】
以下、実施例を用いて、本発明を詳細に説明する。
【実施例１】
【００６５】
径７５μｍのＳＵＳ３０４材料の金属繊維（ベキニット株式会社）について、株式会社神戸製鋼所の「ケニファイン」（登録商標）表面処理を行い、微生物発生防止線材を得た。ニッケル合金のめっき厚は３〜５μｍであった。
【００６６】
この微生物発生防止線材を約直径１ｃｍ及び約直径３ｃｍの球状に夫々手で軽く握って成形し、微生物発生防止器具とした。
【実施例２】
【００６７】
５０ｍＬ三角フラスコに、デトメル培地１５ｍＬ、水１０ｍＬ、緑藻類液５ｍＬを入れた。実施例１で作製した約直径１ｃｍ大及び約直径３ｃｍ大の微生物発生防止器具を三角フラスコの中に入れて試験区とし、微生物発生防止器具を入れないものを対照区とした。温度は２５℃条件とし、蛍光灯照射環境で試験を行った。フラスコ内容物についてはマグネチックスターラーを用いて攪拌を行った。上記条件下で１４日間三角フラスコ内の藻の発生を目視で観察した。評価は以下３段階で行った。−：藻の発生が認められない、＋：藻の発生が若干認められる、＋＋：液色が緑色を呈し、明らかな藻の発生が認められる。
【００６８】
【表１】
2011153811.tif 000003
【００６９】
本発明の微生物発生防止材から構成される微生物発生防止器具を用いた系と用いなかった系について、藻類の増殖抑制効果を比較した（表１）。その結果、微生物発生防止器具を用いなかった系（対照区）は、緑藻類液を添加してから１日で藻の増殖が確認され、２日後には系内の液が緑色を呈した。それに対し、微生物発生防止器具を用いた系（試験区）は、１ｃｍ程度の大きさでも２週間にわたって藻類の増殖を抑制することができた。このことより、本発明の微生物発生防止材及び微生物発生防止器具は微生物の発生・増殖を効果的に防止できることがわかった。
【符号の説明】
【００７０】
１、１ａ、１ｂ  微生物発生防止材
２  金属繊維
３  抗菌剤
１０、１１、１２、１３  微生物発生防止器具
１０１  接触部
１０２  空隙部
４０、４０ａ、４０ｂ  不織布
５０  ゼオライト
５１  その他の原料繊維
６０  空調機器（ドレンパン）
６１  排水孔
６２  排水ホース
７０  磁石
８０  ドレン水
ｄ  金属繊維の直径
ｎ  被着の厚さ
【図１】
2011153811.tif 000004
【図２】
2011153811.tif 000005
【図３】
2011153811.tif 000006
【図４】
2011153811.tif 000007
【図５】
2011153811.tif 000008
【図６】
2011153811.tif 000009
【図７】
2011153811.tif 000010
【図８】
2011153811.tif 000011
【図９】
2011153811.tif 000012